(57)【要約】【課題】本発明は、作業者の手指に与える疲労感を低減することのできる操作性及び作業性に優れた携帯用ディスクグラインダを提供することができる。【解決手段】駆動源であるモータと、モータを収容する本体胴体部１と、本体胴体部１の後方に位置し且つモータに電力を供給するためのスイッチを有するハンドル部２と、本体胴体部１の前方に位置し且つ先端工具３にモータからの回転動力を伝達するための歯車機構部を収容する金属製のギヤケース部４とを備えた携帯用ディスクグラインダにおいて、ギヤケース部４に作業者の手指が引っ掛かるための滑り止め部６を設ける。【選択図】      図２
2004249427.tif 000002
【特許請求の範囲】
【請求項１】
駆動源であるモータと、該モータを収容する本体胴体部と、該本体胴体部の後方に位置し且つ前記モータに電力を供給するためのスイッチを有するハンドル部と、前記本体胴体部の前方に位置し且つ先端工具に前記モータからの回転動力を伝達するための歯車機構部を収容する金属製のギヤケース部とを備えた携帯用ディスクグラインダにおいて、前記ギヤケース部に作業者の手指が引っ掛かるための滑り止め部を設けることを特徴とする携帯用ディスクグラインダ。
【請求項２】
前記滑り止め部は、前記ギヤケース部と一体的に形成される凹凸形状から成り、前記ギヤケース部の巾方向に延在し且つ前記ギヤケース部の上方から下方に向い適当な間隔を持って形成される突起であることを特徴とする請求項１記載の携帯用ディスクグラインダ。
【請求項３】
前記滑り止め部は、前記ギヤケース部と一体的に形成される凹凸形状から成り、前記ギヤケース部の巾方向に延在し且つ前記ギヤケース部の上方から下方に向い適当な間隔を持って形成される溝であることを特徴とする請求項１記載の携帯用ディスクグラインダ。
【請求項４】
前記滑り止め部は、作業者の手指が滑り難いように機械加工により施される抵抗の大きい面であることを特徴とする請求項１記載の携帯用ディスクグラインダ。
【請求項５】
前記滑り止め部は、作業者の手指が滑り難いように塗装により施される抵抗の大きい面であることを特徴とする請求項１記載の携帯用ディスクグラインダ。
【請求項６】
前記滑り止め部は、前記ギヤケース部と別体品で形成されることを特徴とする請求項１乃至請求項４の何れか記載の携帯用ディスクグラインダ。
【請求項７】
前記別体品は、前記ギヤケース部に対してネジ止め或いは接着などの固定手段を介して固定されることを特徴とする請求項６記載の携帯用ディスクグラインダ。
【請求項８】
前記滑り止め部は、前記ギヤケース部の全体に施されることを特徴とする請求項１記載の携帯用ディスクグラインダ。
【発明の詳細な説明】
【０００１】
【発明の属する技術分野】
本発明は、被研削材の研削・研磨を行う際に使用される電気式或いは空気式の携帯用ディスクグラインダに関するものである。
【０００２】
【従来の技術】
従来の携帯用ディスクグラインダを図９〜図１１を用いて説明する。図９に示すように携帯用ディスクグラインダは、図示しないモータ等を収容する本体胴体部１（モータ収容部）と、当該本体胴体部１の後方に位置し且つモータに電力を供給するためのスイッチを有するメインハンドル部２（以下ハンドル部と称す）と、上記本体胴体部１の前方に位置し且つ砥石或いはカッター等の先端工具３にモータからの回転動力を伝達するための歯車機構部（減速機構部）を収容する金属製のギヤケース部４とから構成されており、更に上記ギヤケース部４の両側面部には、操作性を向上させるためのサイドハンドル５（補助ハンドル）が着脱可能に配されるようネジ溝４ａが形成されている。
【０００３】
図１０は上記ギヤケース部４の外観形状を示しており、図１１は同ギヤケース部４にサイドハンドル５を取り付けた外観形状を示したものである。
【０００４】
通常、作業者は、一方の手でハンドル部２を把持し且つ他方の手でサイドハンドル５を把持した状態で研削・研磨作業を行っているが、図１０に示すようにサイドハンドル５を取り付けない状態で使用する場合もある。この場合、作業者は、一方の手でハンドル部２を把持し且つ他方の手で本体胴体部１或いはギヤケース部４の外表面を押圧保持しながら使用していた。
【０００５】
【発明が解決しようとする課題】
携帯用ディスクグラインダを使用する場合の握り方は、作業内容や作業者の好みに応じて異なるものである。特にサイドハンドルをギヤケース部の両側面部に設けたネジ溝に螺合させない状態で使用する場合には、上述したように作業者は、一方の手でハンドル部を把持し且つ他方の手で本体胴体部或いはギヤケースの外表面を押圧保持しながら使用している。
【０００６】
しかし、ギヤケース部の外表面を押圧保持する場合、当該ギヤケースの外表面に作業者の手指が引っ掛かる、即ち作業者がギヤケース部を安定して保持するための手指の滑り止め部が積極的に設けられていなかったため、例えば作業中の振動等によりギヤケース部から手指が滑り落ちてしまい安定した操作性及び作業性の低下を招いてしまうという問題があった。つまり、上述した問題の結果、使用中に作業者は必要以上に大きな押圧保持力を付与し続けなければならないため疲労感を感じたり、更にギヤケース部が金属製であることからギヤケース部に接触している手指に汗をかいてしまうと非常に滑り易くなっしまうことにより大きな押圧保持力を付与し続けながら作業を行わなければならないためより疲労感を高めてしまうものであった。
【０００７】
本発明の目的は、上記問題を解消し、作業者の手指に与える疲労感を低減することのできる操作性及び作業性に優れた携帯用ディスクグラインダを提供することである。
【０００８】
【課題を解決するための手段】
上記目的は、駆動源であるモータと、モータを収容する本体胴体部と、本体胴体部の後方に位置し且つモータに電力を供給するためのスイッチを有するハンドル部と、本体胴体部の前方に位置し且つ先端工具にモータからの回転動力を伝達するための歯車機構部を収容する金属製のギヤケース部とを備えた携帯用ディスクグラインダにおいて、ギヤケース部に作業者の手指が引っ掛かるための滑り止め部を設けることにより達成される。
【０００９】
【発明の実施の形態】
本実施例における携帯用ディスクグラインダを図１〜図８を用いて説明する。図１は本実施例におけるサイドハンドル５を取り外した携帯用ディスクグラインダを示す側面図、図２は本実施例におけるサイドハンドル５を取り外した携帯用ディスクグラインダを示す外観斜視図、図３は本実施例におけるサイドハンドル５を取り外した携帯用ディスクグラインダの使用状態を示す一部省略外観斜視図、図４は本実施例におけるサイドハンドル５を取り付けた携帯用ディスクグラインダを示す外観斜視図、図５は本実施例におけるサイドハンドル５を取り付けた携帯用ディスクグラインダの使用状態を示す一部省略外観斜視図、図６は本実施例におけるサイドハンドル５を取り付けた携帯用ディスクグラインダの他の使用状態を示す一部省略外観斜視図、図７は本実施例におけるサイドハンドル５を取り外した他の携帯用ディスクグラインダを示す一部省略外観斜視図、図８は図７の携帯用ディスクグラインダにサイドハンドル５を取り付けた状態を示す一部省略外観斜視図である。
【００１０】
図１及び図２に示すように、本実施例における携帯用ディスクグラインダは、図示しないモータ等を収容する本体胴体部１（モータ収容部）と、当該本体胴体部１の後方に位置し且つモータに電力を供給するためのスイッチを有するメインハンドル部２（以下ハンドル部と称す）と、上記本体胴体部１の前方に位置し且つ砥石或いはカッター等の先端工具３にモータからの回転動力を伝達するための歯車機構部（減速機構部）を収容するアルミニウム或いはマグネシウム等から成る金属製のギヤケース部４とから構成されており、更に上記ギヤケース部４の両側面部には、操作性を向上させるためのサイドハンドル５（補助ハンドル）が着脱可能に配されるようネジ溝４ａが形成されている。
【００１１】
また、図４は同ギヤケース部４にサイドハンドル５を取り付けた外観形状を示したものである。
【００１２】
上記携帯用ディスクグラインダを使用する場合の握り方は、作業内容や作業者の好みに応じて異なるものであり、例えば図３に示すようにサイドハンドル５を取り付けない状態でギヤケース部４の外表面を押圧保持しながら使用する場合、また図５に示すように一方の手でハンドル部２を把持し且つ他方の手でサイドハンドル５及びギヤケース部４を把持する場合、また図６に示すようにサイドハンドル５を取り付けてあっても図３と同様に一方の手でハンドル部２を把持し且つ他方の手でギヤケース部４を把持する場合などがある。これ以外にも一方の手でハンドル部２を把持することなく他方の手のみでサイドハンドル５或いはギヤケース部４を把持する場合もある。
【００１３】
図３，図５及び図６の何れにも共通して言えることは、ギヤケース部４の外表面に本発明の特徴構成である凹凸形状から成る滑り止め部６が設けられていることである。この滑り止め部６は、ギヤケース部４と一体的に形成され当該ギヤケース部４の巾方向に延在し且つ当該ギヤケース部４の上方（高い位置）から下方（低い位置）に向い適当な間隔を持って形成される複数の突起６ａから構成されている。また、他の滑り止め部６としては、ギヤケース部４と一体的に形成され当該ギヤケース部４の巾方向に延在し且つ当該ギヤケース部４の上部（高い位置）から下方（低い位置）に向い適当な間隔を持って形成される複数の長溝６ｂから構成しても良い。なお、本実施例では複数の突起６ａ或いは溝６ｂ（例えば長溝）により滑り止め部６を構成しているが、作業者の手指が十分に引っ掛かる形状であれば単数の突起６ａ或いは溝６ｂであっても良い。また、突起６ａ或いは溝６ｂの形状は、図３，図５及び図６に示す形状に特に限定されるものではなく、作業者の手指を十分に引っ掛かけることのできる形状であれば良い。更に上記突起６ａ或いは溝６ｂはギヤケース部４と一体的に形成されるものでなくギヤケース部４にネジ止め或いは接着等の固定手段を介して後付け可能な上記突起６ａ或いは溝を有する別体品であっても良い。
【００１４】
次に図７及び図８を用いて他の滑り止め部６について説明する。図７及び図８に示す携帯用ディスクグラインダのギヤケース部４には、作業者の手指が滑り難いように抵抗の大きい面６ｃを機械加工等に一体的に設けたものである。これにより上述した突起６ａ或いは溝６ｂと同様の作用効果を有することが可能となる。なお、上記抵抗の大きい面６ｃはギヤケース部４と一体的に形成されるものでなくギヤケース部４にネジ止め或いは接着等の固定手段を介して後付け可能な上記面を有する別体品であっても良い。
【００１５】
更に図７及び図８に示す携帯用ディスクグラインダのギヤケース部４には、作業者の手指が滑り難いように抵抗の大きい面６ｄを施すために塗装（メッキ）等の手段を用いて一体的に設けたものであっても良い。これにより上述した同様の作用効果を有することが可能となる。なお、上記抵抗の大きい面６ｄはギヤケース部４と一体的に形成されるものでなくギヤケース部４にネジ止め或いは接着等の固定手段を介して後付け可能な上記面を有する別体品であっても良い。
【００１６】
なお、より滑り止め効果を発揮するために上述した突起６ａ或いは溝６ｂ，機械加工による抵抗の大きい面６ｃ，塗装による抵抗の大きい面６ｄを組み合わせて使用しても良く、更にはこれらを図面に示すギヤケース部４の上面だけではなく、例えば作業者の手指が接触する部位としてギヤケース部４の側面などに設けて良く、別の発想としてギヤケース部４の一部にだけではなく、ギヤケース部４全体に突起６ａ或いは溝６ｂ，抵抗の大きい面６ｃ，６ｄを施しても良い。
【００１７】
以上のことから、手指が上記滑り止め部６に確実に引っ掛かることで滑り止め作用が生じるため、作業中の振動等や汗によりギヤケース部４から手指が滑り落ちてしまうことを容易に防ぐことができ、安定した操作性及び作業性を得ることができるので、必要以上の押圧保持力を付与し続けながら使用せずにすむため、作業者に疲労感を感じさせることを低減することができる。
【００１８】
【発明の効果】
本発明によれば、ギヤケース部に作業者の手指が引っ掛かるための滑り止め部を設けることで、作業者の手指に与える疲労感を低減することのできる操作性及び作業性に優れた携帯用ディスクグラインダを提供することができる。
【図面の簡単な説明】
【図１】本発明になるサイドハンドルを取り外した携帯用ディスクグラインダを示す側面図である。
【図２】本発明になるサイドハンドルを取り外した携帯用ディスクグラインダを示す外観斜視図である。
【図３】本発明になるサイドハンドルを取り外した携帯用ディスクグラインダの使用状態を示す一部省略外観斜視図である。
【図４】本発明になるサイドハンドルを取り付けた携帯用ディスクグラインダを示す外観斜視図である。
【図５】本発明になるサイドハンドルを取り付けた携帯用ディスクグラインダの使用状態を示す一部省略外観斜視図である。
【図６】本発明になるサイドハンドルを取り付けた携帯用ディスクグラインダの他の使用状態を示す一部省略外観斜視図である。
【図７】本発明になるサイドハンドルを取り外した他の携帯用ディスクグラインダを示す一部省略外観斜視図である。
【図８】図７の携帯用ディスクグラインダにサイドハンドルを取り付けた状態を示す一部省略外観斜視図である。
【図９】従来におけるサイドハンドルを取り外した携帯用ディスクグラインダを示す側面図である。
【図１０】従来におけるサイドハンドルを取り外した携帯用ディスクグラインダを示す一部省略外観斜視図である。
【図１１】図１０の携帯用ディスクグラインダにサイドハンドルを取り付けた状態を示す一部省略外観斜視図である。
【符号の説明】
１は本体胴体部、２はハンドル部、３は先端工具、４はギヤケース部、４ａはネジ溝、５はサイドハンドル、６は滑り止め部、６ａは突起、６ｂは溝、６ｃは機械加工による抵抗の大きい面、６ｄは塗装による抵抗の大きい面である。
【図１】
2004249427.tif 000003
【図２】
2004249427.tif 000004
【図３】
2004249427.tif 000005
【図４】
2004249427.tif 000006
【図５】
2004249427.tif 000007
【図６】
2004249427.tif 000008
【図７】
2004249427.tif 000009
【図８】
2004249427.tif 000010
【図９】
2004249427.tif 000011
【図１０】
2004249427.tif 000012
【図１１】
2004249427.tif 000013